(57)【要約】【課題】  車体側に設けたアームレストの状態を、該アームレストに対応するシートの状態に応じて変化させることができるアームレスト装置を得る。【解決手段】  アームレスト装置１０では、第３列シート１２の使用状態では、アームレスト部材２０のアームレスト部２２を使用位置にし、アーム載せ面２５が使用可能に露出してアームレストＡを構成する。第３列シート１２のシートバック１２Ａが前倒しされて該シート１２が不使用状態である格納状態になると、シート格納センサ５８は第３列シート１２が格納状態に移行したことに応じた信号をアームレストＥＣＵ５６に出力する。アームレストＥＣＵ５６は、モータ５２を駆動してアームレスト部材２０を矢印Ｂ方向に回動し、アームレスト部２２のアーム載せ面２５をデッキサイドトリム１４内に格納する。【選択図】      図１
2006151196.tif 000002
【特許請求の範囲】
【請求項１】
着座可能な使用状態と着座不能な不使用状態とを選択的に取り得るシートの側方に該シートとは独立して設けられ、前記シートの側方でアーム載せ面を前記シートの着座乗員が使用可能に露出させる使用位置と前記アーム載せ面を車体側から隠す格納位置とを取り得るアームレスト部材と、
前記シートが前記使用状態から不使用状態に移行する際又は移行した後に所定の信号を出力するシート状態検出手段と、
前記シート状態検出手段から前記所定の信号が入力された場合に、前記アームレスト部材の位置を前記使用位置から格納位置に切り替えるアームレスト位置切替手段と、
を備えたアームレスト装置。
【請求項２】
前記アームレスト部材が使用位置と格納位置との間を移動するのに要する空間を、前記シートが使用状態と不使用状態との間を移行するのに要する空間の外側に配置した請求項１記載のアームレスト装置。
【請求項３】
前記アームレスト部材は、
前記シートの側方に位置する車体側壁に配置されており、
前記使用位置では、車体前後方向に沿って延びる一端部を前記車体側壁に設けた開口部の下縁に沿わせて、車室に露出した前記アーム載せ面を上に向け、
前記格納位置では、前記車体前後方向に沿って延びる一端部を前記開口部の上縁に沿わせて、前記アーム載せ面を前記車体側壁の内側に向ける、
請求項２記載のアームレスト装置。
【請求項４】
前記アームレスト部材は、車体前後方向に沿って延びる所定の回動軸廻りに回動することで前記使用位置から格納位置へ切り替えられるようになっており、
前記アームレスト位置切替手段は、前記アームレスト部材を前記回動軸廻りに駆動する駆動装置を含む、
請求項３記載のアームレスト装置。
【請求項５】
シート側方に位置する車体側壁の内部に配置され該車体側壁における前記シート側の壁部に設けた開口部から露出可能であるアームレスト部材を、車体前後方向に沿う軸線廻りに回動可能に支持し、
前記アームレスト部材が、前記軸線廻りの回動によって、車体前後方向に沿って延びる一端部を前記開口部の下縁に沿わせて前記アーム載せ面を上に向ける使用位置と、前記アーム載せ面を前記車体側壁の内側に向ける格納位置とを取り得るようにしたアームレスト装置。
【請求項６】
前記アームレスト部材が前記使用位置に位置するときに、該アームレスト部材の回動軸心部分と前記開口部の上縁との間を閉止する閉止部を該アームレストに設けた、請求項５記載のアームレスト装置。
【請求項７】
前記アームレスト部材は、前記格納位置に位置するときに前記前後方向に沿って延びる一端部を前記開口部の上縁に一致させる、請求項５又は請求項６記載のアームレスト装置。
【請求項８】
前記アームレスト部材が前記格納位置に位置するときに、該アームレスト部材の回動軸心部分と前記開口部の下縁との間を閉止する別の閉止部を該アームレストに設けた、請求項７記載のアームレスト装置。
【請求項９】
前記シートが前記使用状態から不使用状態に移行する際又は移行した後に所定の信号を出力するシート状態検出手段と、
前記シート状態検出手段から前記所定の信号が入力された場合に、前記アームレスト部材の位置を前記使用位置から格納位置に切り替えるアームレスト状態切替手段と、
をさらに備えた請求項５乃至請求項８の何れか１項記載のアームレスト装置。
【発明の詳細な説明】
【技術分野】
【０００１】
本発明は、自動車等の車両の車体に設けられシートから独立したアームレスト装置に関する。
【背景技術】
【０００２】
フロントベンチシートのシートバックを前倒しさせる際に、該フロントベンチシートの左右中央部に配置したアームレストを自動的に収納位置に移動させ、該アームレストがシートバックの前倒に伴ってシフトレバーに干渉しないようにした技術が知られている（例えば、特許文献１参照）。また、スライドドアに対する収容位置と突出位置とを取り得るアームレストを該スライドドアに設け、スライドドアがドア開口部を開閉するために車体に対しスライドする際にアームレストを自動的に収容位置に移動する技術が知られている（例えば、特許文献２参照）。
【特許文献１】実開平２−７１０３７号公報
【特許文献２】実開平１−９５４４６号公報
【特許文献３】実開平６−９５５号公報
【特許文献２】実開昭６３−１０３４５１号公報
【発明の開示】
【発明が解決しようとする課題】
【０００３】
しかしながら、上記の如き従来の技術では、シートのシートバック前倒動作に応じて該シートに設けたアームレストが格納され、又はスライドドアの開閉動作に応じて該スライドドアに設けたアームレストが格納されるだけであり、シートの動作に応じて車体側に設けたアームレストを格納することができなかった。
【０００４】
本発明は、上記事実を考慮して、車体側に設けたアームレストの状態を、該アームレストに対応するシートの状態に応じて変化させることができるアームレスト装置を得ることが目的である。
【課題を解決するための手段】
【０００５】
上記目的を達成するために請求項１記載の発明に係るアームレスト装置は、着座可能な使用状態と着座不能な不使用状態とを選択的に取り得るシートの側方に該シートとは独立して設けられ、前記シートの側方でアーム載せ面を前記シートの着座乗員が使用可能に露出させる使用位置と前記アーム載せ面を車体側から隠す格納位置とを取り得るアームレスト部材と、前記シートが前記使用状態から不使用状態に移行する際又は移行した後に所定の信号を出力するシート状態検出手段と、前記シート状態検出手段から前記所定の信号が入力された場合に、前記アームレスト部材の位置を前記使用位置から格納位置に切り替えるアームレスト位置切替手段と、を備えている。
【０００６】
請求項１記載のアームレスト装置では、シート状態検出手段からアームレスト位置切替手段に所定の信号が入力されると、該アームレスト位置切替手段は、アームレスト部材の位置を使用位置から格納位置に切り替える。すなわち、シートが使用状態から不使用状態にされると、アームレスト部材が自動的に格納される。これにより、例えば、シートを折り畳んだり、格納したり、取り外したりして該シート設置空間を荷室として使用する際に、アームレスト部材における使用面であるアーム載せ面が汚れたり傷付いたりすることが防止される。なお、格納位置に位置するアームレスト部材のアーム載せ面は、例えば、車体側部材や本アームレスト装置の被覆部材に覆われたり、車室とは仕切られた空間に向けられて、車室側から隠されている。
【０００７】
このように、請求項１記載のアームレスト装置では、車体側に設けたアームレスト部材の状態を、該アームレスト部材に対応するシートの状態に応じて変化させることができる。なお、アームレスト位置切替手段は、シート状態検出手段又は他の検出手段からシートが不使用状態から使用状態に移行する際又は移行した後に別途所定の信号が入力されると、アームレスト部材の位置を格納位置から使用位置へ自動的に切り替えるように構成されることが望ましい。
【０００８】
請求項２記載の発明に係るアームレスト装置は、請求項１記載のアームレスト装置において、前記アームレスト部材が使用位置と格納位置との間を移動するのに要する空間を、前記シートが使用状態と不使用状態との間を移行するのに要する空間の外側に配置した。
【０００９】
請求項２記載のアームレスト装置では、アームレスト部材が使用位置と格納位置との間の如何なる位置に位置していても、シートはアームレスト部材に干渉することなく使用状態と不使用状態との移行を行うことができる。すなわち、シートの使用状態と不使用状態との間の状態移行を行うためにアームレスト部材の位置を使用位置から格納位置へ切り替える構成ではなく、アームレスト部材自体の保護等のために、シートが不使用状態にあるときにアームレスト部材を格納するようになっている。
【００１０】
請求項３記載の発明に係るアームレスト装置は、請求項２記載のアームレスト装置において、前記アームレスト部材は、前記シートの側方に位置する車体側壁に配置されており、前記使用位置では、車体前後方向に沿って延びる一端部を前記車体側壁に設けた開口部の下縁に沿わせて、車室に露出した前記アーム載せ面を上に向け、前記格納位置では、前記車体前後方向に沿って延びる一端部を前記開口部の上縁に沿わせて、前記アーム載せ面を前記車体側壁の内側に向ける。
【００１１】
請求項３記載のアームレスト装置では、使用位置に位置するアームレスト部材は、アームレスト部材が車体前後方向に沿って延びる一端部を車体側壁の開口部の下縁に沿わせると、アーム載せ面が車室に露出されつつ上を向き、シートの乗員はアーム載せ面に腕を載せることができる。一方、格納位置に位置するアームレスト部材は、上記一端部を開口部の上縁に沿わせることで、アーム載せ面を車体側壁の内側に向ける。すなわち、格納位置に位置するアームレスト部材のアーム載せ面は、車室側に露出せず、汚れたり傷付いたりすることがない。車体側壁にアームレスト部材が配置されるため、アームレスト位置切替手段を車体側壁内に配置することができる。また、アームレスト部材がシートの使用状態と不使用状態との状態移行に干渉することがない構成が実現される。
【００１２】
なお、アームレスト部材が車体側壁に配置されるとは、アームレスト部材が、実質的に、車体側壁からシート側（車幅方向内側）に突出しないことを満たせば足りる。
【００１３】
請求項４記載の発明に係るアームレスト装置は、請求項３記載のアームレスト装置において、前記アームレスト部材は、車体前後方向に沿う所定の回動軸廻りに回動することで前記使用位置から格納位置へ切り替えられるようになっており、前記アームレスト位置切替手段は、前記アームレスト部材を前記回動軸廻りに駆動する駆動装置を含む。
【００１４】
請求項４記載のアームレスト装置では、シート状態検出手段からアームレスト位置切替手段に所定の信号が入力されると、アームレスト位置切替手段の駆動装置が作動してアームレスト部材を車体前後方向に沿う回動軸廻りに回動する。すると、アームレスト部材は、車体前後方向に沿って延びる一端部を開口部の下縁に沿わせる使用位置から、該一端部を開口部の上縁に沿わせる格納位置に切り替えられる。
【００１５】
請求項５記載の発明に係るアームレスト装置は、シート側方に位置する車体側壁の内部に配置され該車体側壁における前記シート側の壁部に設けた開口部から露出可能であるアームレスト部材を、車体前後方向に沿う軸線廻りに回動可能に支持し、前記アームレスト部材が、前記軸線廻りの回動によって、車体前後方向に沿って延びる一端部を前記開口部の下縁に沿わせて前記アーム載せ面を上に向ける使用位置と、前記アーム載せ面を前記車体側壁の内側に向ける格納位置とを取り得るようにした。
【００１６】
請求項５記載のアームレスト装置では、使用位置に位置するアームレスト部材は、車体前後方向に沿って延びる一端部を開口部の下縁に沿わせることで、アーム載せ面を上向きにしており、シート乗員はアーム載せ面に腕を載せることができる。このアームレスト部材は、車体前後方向に沿う軸線廻りに回動されて格納位置に至ると、アーム載せ面を車体側壁の内側に向ける。したがって、車体側壁に設けた開口部は、下縁が上縁よりも車幅方向内側（シート側）に位置するように、上下縁の車幅方向位置がオフセットしている。
【００１７】
ここで、格納位置に位置するアームレスト部材のアーム載せ面は、上記の通り車体側壁の内側を向くため、シートが設置されている車室側に露出せず、汚れたり傷付いたりすることが防止される。また、シートが使用状態と不使用状態とを取り得る構成に適用された場合に、アームレスト部材がシートの使用状態と不使用状態との状態移行に干渉することがない。なお、アームレスト部材が車体側壁に配置されるとは、アームレスト部材が、実質的に、車体側壁からシート側（車幅方向内側）に突出しないことを満たせば足りる。
【００１８】
請求項６記載の発明に係るアームレスト装置は、請求項５記載のアームレスト装置において、前記アームレスト部材が前記使用位置に位置するときに、該アームレスト部材の回動軸心部分と前記開口部の上縁との間を閉止する閉止部を該アームレストに設けた。
【００１９】
請求項６記載のアームレスト装置では、アームレスト部材が使用位置に位置するときには、上記の通り下縁が上縁よりもシート側にオフセットしている開口部は、下縁からアームレスト部材の回動軸線までの部分がアームレスト部材によって閉止されると共に、上縁からアームレスト部材の回動軸線までの部分が閉止部材によって閉止される。
【００２０】
請求項７記載の発明に係るアームレスト装置は、請求項５又は請求項６記載のアームレスト装置において、前記アームレスト部材は、前記格納位置に位置するときに前記前後方向に沿って延びる一端部を前記開口部の上縁に一致させる。
【００２１】
請求項７記載のアームレスト装置では、格納位置に位置するアームレスト部材は、アーム載せ面を車体側壁の内側に向けつつ、開口部の上縁からアームレスト部材の回動軸線までの部分を閉止している。この構成では、アームレスト部材を最小限の回動で使用位置から格納位置へ移動することができる。
【００２２】
請求項８記載の発明に係るアームレスト装置は、請求項７記載のアームレスト装置において、前記アームレスト部材が前記格納位置に位置するときに、該アームレスト部材の回動軸心部分と前記開口部の下縁との間を閉止する別の閉止部を該アームレストに設けた。
【００２３】
請求項８記載のアームレスト装置では、アームレスト部材が格納位置に位置するときには、上記の通り下縁が上縁よりもシート側にオフセットしている開口部は、下縁からアームレスト部材の回動軸線までの部分が別の閉止部材によって閉止されると共に、上縁からアームレスト部材の回動軸線までの部分がアームレスト部材によって閉止される。
【００２４】
請求項９記載の発明に係るアームレスト装置は、請求項５乃至請求項８の何れか１項記載のアームレスト装置において、前記シートが前記使用状態から不使用状態に移行する際又は移行した後に所定の信号を出力するシート状態検出手段と、前記シート状態検出手段から前記所定の信号が入力された場合に、前記アームレスト部材の位置を前記使用位置から格納位置に切り替えるアームレスト状態切替手段と、をさらに備えた。
【００２５】
請求項９記載のアームレスト装置では、シート状態検出手段からアームレスト位置切替手段に所定の信号が入力されると、該アームレスト位置切替手段は、アームレスト部材の位置を使用位置から格納位置に切り替える。すなわち、シートが使用状態から不使用状態に移行すると、アームレスト部材が自動的に格納される。これにより、例えば、シートを折り畳んだり、格納したり、取り外したりして該シート設置空間を荷室として使用する際に、アームレスト部材が汚れたり傷付いたりすることが防止される。
【００２６】
このように、請求項９記載のアームレスト装置では、車体側に設けたアームレスト部材の状態を、該アームレスト部材に対応するシートの状態に応じて変化させることができる。なお、アームレスト位置切替手段は、シート状態検出手段又は他の検出手段からシートが不使用状態から使用状態に移行する際又は移行した後に別途所定の信号が入力されると、アームレスト部材の位置を格納位置から使用位置へ自動的に切り替えるように構成されることが望ましい。
【発明の効果】
【００２７】
以上説明したように本発明に係るアームレスト装置は、車体側に設けたアームレストの状態を、該アームレストに対応するシートの状態に応じて変化させることができるという優れた効果を有する。
【発明を実施するための最良の形態】
【００２８】
本発明の実施の形態に係るアームレスト装置１０について、図１乃至図８に基づいて説明する。なお、各図に適宜記す矢印ＦＲ、矢印ＵＰ、及び矢印ＩＮは、それぞれアームレスト装置１０が適用される自動車Ｓの前方向（進行方向）、上方向、及び車幅方向の内側方向を示している。
【００２９】
図１には、アームレスト装置１０の概略全体構成が車体を切り欠いて見た斜視図にて示されている。この図に示される如く、アームレスト装置１０は、自動車Ｓの第３列シート１２に着座した乗員用の車幅方向外側のアームレストＡを形成する構成とされている。第３列シート１２は、可倒式のシートバック１２Ａを備えており、シートバック１２Ａをシートクッション１２Ｂ上に倒すことによって、格納されて荷室を拡大するようになっている。
【００３０】
すなわち、自動車Ｓの第３列シート１２は、シートバック１２Ａを起こしてシートクッション１２Ｂに着座可能な使用状態（図１の実線参照）と、シートバック１２Ａをシートクッション１２Ｂ上に倒す不使用状態である格納状態（図１の想像線参照）とを選択的に取り得る構成とされている。この実施形態では、格納状態の第３列シート１２は、床下に格納される、換言すればシートバック１２Ａの背面が荷室の床面を構成するようになっている。また、図１に示される如く、アームレストＡは、第３列シート１２とは独立して、車体側に設けられている。この実施形態では、デッキサイドトリム１４に設けられている。以下、具体的に説明する。
【００３１】
図１に示される如く、アームレスト装置１０では、デッキサイドトリム１４を構成する第３列シート１２側の壁部１６に、開口部１８が設けられている。開口部１８は、第３列シート１２側及び上側を共に向くように、側壁１６Ａと上壁１６Ｂとに跨るように形成されている。したがって、図２にも示される如く、開口部１８の下縁１８Ａは、上縁１８Ｂよりも第３列シート１２側に位置している。また、開口部１８は、その前端が壁部１６の前壁１６Ｃにまで亘って形成されており、前向きにも開口している。さらに、開口部１８は、その下縁１８Ａの前部が前壁１６Ｃに倣って車幅方向外側に向かうように湾曲すると共に、その上縁１８Ｂの前部が前壁１６Ｃに倣って下方に向かうように湾曲しており、下縁１８Ａと上縁１８Ｂとは、共通の前端１８Ｃを有している。
【００３２】
そして、アームレスト装置１０は、デッキサイドトリム１４内に配設されたアームレスト部材２０を備えている。以下、アームレスト部材２０について説明するが、上下、車幅方向内外（左右）等の方向を用いて説明する場合は、基本的に図１及び図４に示す使用状態での方向を示すものとする。
【００３３】
図４に示される如く、アームレスト部材２０は、アームレスト部２２を備えている。アームレスト部２２は、平板状に形成されており、平面視では、車幅方向外側の縁部２２Ｂが車体前後方向に沿う直線状に形成されると共に、車幅方向内側の縁部２２Ａが開口部１８の下縁に略一致する（前部が湾曲し、後部が車体前後方向に沿う直線状である）形状に形成されている。アームレスト部２２の後縁２２Ｃは、車幅方向に沿う直線状に形成されている。アームレスト部２２の前部には、貫通孔であるカップホルダ２４が設けられている。
【００３４】
図１及び図２に示される如く、アームレスト部２２は、その縁部２２Ａを開口部１８の下縁１８Ａに略一致させた（沿わせた）状態で、そのアーム載せ面２５を上に向けつつ車室内に露出させるようになっている。このときのアームレスト部材２０又はアームレスト部２２の位置を使用位置ということとする。すなわち、使用位置に位置するアームレスト部２２は、アーム載せ面２５を車室に露出させつつ上向きにし、アームレストＡを構成するようになっている。換言すれば、アームレストＡ（の機能を果たすもの）は、使用位置に位置しているアームレスト部２２又はそのアーム載せ面２５である。使用位置に位置するアームレスト部２２は、平面視で開口部１８を閉止するようになっている。
【００３５】
図４に示される如く、アームレスト部材２０は、アームレスト部２２の縁部２２Ｂ近傍に配置され車体前後方向に沿う回動軸２６を備えている。回動軸２６は、アームレスト部２２の前後に突出しており、それぞれデッキサイドトリム内に配設された図示しない軸受部に回動可能に軸支されている。これにより、アームレスト部材２０は、車体前後方向に沿う軸線である回動軸２６廻りに回動可能とされている。
【００３６】
そして、アームレスト部材２０は、使用位置から図４に示す矢印Ｂ方向に所定角度（本実施形態では略９０°）だけ回動すると、図３に示される如く、アームレスト部２２の縁部２２Ａを開口部１８の上縁１８Ｂに略一致させる（沿わせる）ようになっている。この状態では、アーム載せ面２５がデッキサイドトリム１４内を向いて車室側（第３列シート１２側）には露出しない構成である。このときのアームレスト部材２０又はアームレスト部２２の位置を格納位置ということとする。格納位置に位置するアームレスト部２２は、車室内からの側面視で開口部１８を閉止するようになっている。一方、アームレスト部材２０は、格納位置から図４に示す矢印Ｂとは反対向きの矢印Ｃ方向に上記所定角度だけ回動すると、使用位置に復帰する構成とされている。
【００３７】
また、アームレスト部材２０は、本発明における「他の閉止部材」としての格納時床板部２８を備えている。格納時床板部２８は、アームレスト部２２の縁部２２Ｂから下向きに立設されており、その下端に位置する縁部２８Ａの形状が開口部１８の下縁の形状に略一致する（前部が湾曲し、後部が車体前後方向に沿う直線状である）ように形成されている。これにより、格納時床板部２８は、アームレスト部材２０が使用位置に位置するときには、図２に示される如くデッキサイドトリム１４内に位置し、アームレスト部材２０が格納位置に移動すると図３に示される如く平面視で開口部１８を閉止するようになっている。
【００３８】
さらに、アームレスト部材２０は、使用時隔壁３０を備えている。使用時隔壁３０は、アームレスト部２２の縁部２２Ｂの前部から上向きに突設されており、その上縁３０Ａが開口部１８の上縁１８Ｂにおける湾曲した前部に対応している。この使用時隔壁３０は、アームレスト部材２０が使用位置に位置するときに、開口部１８の前部（上縁１８Ｂが湾曲している範囲）を、車室内からの側面視で閉止する構成である。
【００３９】
この使用時隔壁３０の後には、スライドシャッタ３２が隣接して設けられている。スライドシャッタ３２は、比較的薄い平板状に形成されており、格納時床板部２８に形成されたシャッタ格納溝３４に対し進退可能とされている。スライドシャッタ３２は、シャッタ格納溝３４から退出して使用時隔壁３０の後側に並ぶ状態では、図２に示される如く上端を上縁１８Ｂに突き当てることで、図５に示される如く車室内からの側面視で開口部１８の後部（使用時隔壁３０が開閉する残余の部分）を閉止するようになっている。一方、スライドシャッタ３２は、シャッタ格納溝３４に入り込んだ状態では、図６に示される如く開口部１８の後部を開放するようになっている。
【００４０】
図２及び図４に示される如く、スライドシャッタ３２の車幅方向外側には、収納ポケットＰが設けられている。収納ポケットＰは、略半円筒状の収納ポケット形成部材３６が回動軸２６に同軸的に取り付けられて形成されている。アームレスト部材２０の前部には、球殻状に形成され格納時床板部２８の縁部２８Ａの前部と使用時隔壁３０の上縁とを架け渡して固定された球殻部３８が設けられており、アームレスト部材２０の後端部には回動軸２６と同軸的な円板部４０がアームレスト部２２、格納時床板部２８の各後端に固定されている。
【００４１】
収納ポケット形成部材３６は、前端が球殻部３８の後端に固定されると共に後端が円板部４０の前面周縁部に固定されている。収納ポケット形成部材３６は、その内半径が格納時床板部２８の縁部２８Ａ（湾曲した前部を除く）から回動軸２６までの距離に略対応しており、該格納時床板部部２８の縁部２８Ａに固定された部分が周方向の基端とされている。これにより、収納ポケット形成部材３６は、上記の通り、スライドシャッタ３２の車幅方向外側のデッキサイドトリム１４内に、略半円柱状空間である収納ポケットＰを形成している。
【００４２】
そして、スライドシャッタ３２は、アームレスト部材２０が使用位置に位置するときに乗員に操作されて上下にスライド（シャッタ格納溝３４に対し進退）し、収納ポケットＰを開閉するようになっている。シャッタ格納溝３４に対する進退に伴って、スライドシャッタ３２は、前端３２Ａが使用時隔壁３０の後端３０Ｂに摺動すると共に、後端３２Ｂが円板部４０に摺動する構成である。なお、円板部４０の半径は、回動軸２６からアームレスト部２２の縁部２２Ａ（湾曲した前部を除く）までの距離に対応しており、かつ収納ポケット形成部材３６の外半径に略一致している。
【００４３】
さらに、図３に示される如く、アームレスト部材２０は、格納位置に位置する状態でアームレスト部２２と格納時床板部２８との間に収納空間を形成するシャッタ部材４２を備えている。シャッタ部材４２は、比較的薄肉の略４分の１円筒状に形成されており、収納ポケット形成部材３６に周方向に沿って形成されたシャッタ格納溝４４に対し進退可能、すなわち収納ポケット形成部材３６の周方向に沿う往復動が可能とされている。シャッタ格納溝４４は、アームレスト部２２が格納位置に位置する状態で、格納時床板部２８の縁部２８Ａに対する車幅方向内側で上向きに開口するようになっている。
【００４４】
シャッタ部材４２は、シャッタ格納溝４４から退出して周方向端部４２Ａをアームレスト部２２に突き当てる状態では、図３及び図７に示される如くアームレスト部２２と格納時床板部２８との間に収納空間Ｒを形成する構成である。一方、シャッタ部材４２は、シャッタ格納溝４４に入り込むと、図８に示される如く収納空間Ｒを開放するようになっている。なお、アームレスト部２２と格納時床板部２８との前部間には、球殻状に形成された球殻部４６が架け渡されて固定されており、シャッタ部材４２は、シャッタ格納溝４４に対する進退に伴って、前端４２Ｂを球殻部４６の後端４６Ａに摺動させると共に、後端４２Ｃを円板部４０に摺動させるようになっている。
【００４５】
なお、以上説明したアームレスト部材２０が、広義には本発明における「アームレスト部材」に相当するが、狭義には、アームレスト部２２が本発明における「アームレスト部材」に相当する。
【００４６】
また、図１に示される如く、アームレスト装置１０は、アームレスト部材２０の位置を使用位置と格納位置とに選択的に切り替えるアームレスト位置切替手段としてのアームレスト切替装置５０を備えている。アームレスト切替装置５０は、駆動装置としてのモータ５２を備えており、モータ５２は正逆回転可能な電気モータとされている。図４にも示される如く、モータ５２の出力軸５２Ａは、回転伝達機構（歯車列等）５４を介して回動軸２６に回転伝達可能に連結されている。モータ５２は、正転してアームレスト部材２０を矢印Ｂ方向に回動し、逆転してアームレスト部材２０を矢印Ｃ方向に回動する構成とされている。
【００４７】
このモータ５２は、制御装置としてのアームレストＥＣＵ５６に電気的に接続されており、アームレストＥＣＵ５６の指令に基づいて、正転、逆転、又は停止するようになっている。また、アームレストＥＣＵ５６にはシート状態検出手段としてのシート格納センサ５８を備えている。シート格納センサ５８は、シートクッション１２Ｂの近傍の所定位置に配置され、該所定位置でのシートバック１２Ａの有無に応じた信号、又は有無状態の切り替わりに応じた信号をアームレストＥＣＵ５６に出力するようになっている。シート格納センサ５８は、近接センサや圧力センサ等のセンサで構成することができ、センサに代えてスイッチにて構成しても良い。
【００４８】
そして、シート格納センサ５８からの信号に基づいて第３列シート１２が格納状態であると判断したアームレストＥＣＵ５６は、モータ５２に正転指令を出力して該モータ５２を正転させるようになっている。一方、シート格納センサ５８からの信号に基づいて第３列シート１２が使用状態であると判断したアームレストＥＣＵ５６は、モータ５２に逆転指令を出力して該モータ５２を逆転させるようになっている。また、アームレストＥＣＵ５６には、アームレスト部材２０が格納位置又は使用位置に至ったことに対応する信号（モータ５２の電流でも良く、図示しないリミットスイッチ等の出力でも良い）が入力されるようになっており、該信号が入力されるとモータ５２を停止するようになっている。
【００４９】
次に、本実施形態の作用を説明する。
【００５０】
上記構成のアームレスト装置１０では、第３列シート１２の使用状態にあるときには，図１、図２、及び図５に示される如く、アームレスト部材２０が使用位置に位置している。したがって、アームレスト部２２の縁部２２Ａが開口部１８の下縁１８Ａに沿って位置し、アーム載せ面２５が上を向いて開口部１８から露出している。これにより、アームレストＡが形成され、第３列シート１２の乗員はアーム載せ面２５に腕を載せることができる。また、図６に示される如く、この状態では、使用時隔壁３０の上縁３０Ａ及びスライドシャッタ３２の上端が開口部１８の上縁１８Ｂに沿って位置しており、該開口部１８は、アームレスト部２２、使用時隔壁３０、及びスライドシャッタ３２にて閉塞されている。第３列シート１２の乗員は、スライドシャッタ３２を下方に移動して収納ポケットＰの開口を開放することで該収納ポケットＰに小物類を収納することができ、小物類を収納した収納ポケットＰの開口をスライドシャッタ３２にて閉塞することもできる。
【００５１】
図１に想像線にして示す如く第３列シート１２のシートバック１２Ａを前倒し、該第３列シート１２を床下に格納する格納状態にすると、シート格納センサ５８からアームレストＥＣＵ５６に、第３列シート１２が格納されたことに対応する信号（シートバック１２Ａを検出したことに対応する信号等）が入力される。これにより、第３列シート１２が格納状態であると判断したアームレストＥＣＵ５６は、モータ５２に正転指令を出力し、該モータ５２を正転する。すると、このモータ５２の駆動力が回動軸２６に伝達され、図７に示される如く、アームレスト部材２０が回動軸２６と共に該回動軸２６の軸線廻りに矢印Ｂ方向に回動する。
【００５２】
アームレスト部材２０が矢印Ｂ方向に所定角度（略９０°）だけ回動すると、アームレストＥＣＵ５６はモータ５２を停止する。これにより、アームレスト部材２０は格納位置で停止、保持され、図３に示される如くアームレスト部２２の縁部２２Ａが開口部１８の上縁１８Ｂに沿って位置することで、アーム載せ面２５はデッキサイドトリム１４内を向き車室（拡大された荷室）に露出することがない。そして、この状態では、格納時床板部２８の縁部２８Ａ（収納ポケット形成部材３６の基端）が開口部１８の下縁１８Ａに沿って位置しており、開口部１８は、アームレスト部２２及び格納時床板部２８（収納ポケット形成部材３６の基端）にて閉塞されている。このアームレスト部２２と格納時床板部２８との間には、シャッタ部材４２にて荷室と仕切られる収納空間Ｒが形成されており、収納空間Ｒは、図８に示される如く該シャッタ部材４２を操作することで開閉、すなわち小物類の出し入れが可能とされている。
【００５３】
第３列シート１２のシートバック１２Ａを引き起こして該第３列シート１２を使用状態に移行させると、シート格納センサ５８からアームレストＥＣＵ５６に、第３列シート１２が使用状態に移行したことに対応する信号（シートバック１２Ａの非検出に対応する信号等）が入力される。これにより、第３列シート１２が使用状態であると判断したアームレストＥＣＵ５６は、モータ５２に逆転指令を出力し、該モータ５２を逆転する。すると、このモータ５２の駆動力が回動軸２６に伝達され、アームレスト部材２０が回動軸２６と共に該回動軸２６の軸線廻りに矢印Ｃ方向に回動する。
【００５４】
アームレスト部材２０が矢印Ｃ方向に所定角度（略９０°）だけ回動すると、アームレストＥＣＵ５６はモータ５２を停止する。これにより、アームレスト部材２０は使用位置で停止、保持され、アーム載せ面２５が車室（荷室から復帰した客室）に露出しつつ上を向くアームレストＡの形成状態となる。
【００５５】
ここで、アームレスト装置１０では、第３列シート１２の使用状態から格納状態への移行を検出するシート格納センサ５８と、シート格納センサ５８から入力する第３列シート１２の格納に対応する信号に基づいてモータ５２を正転するアームレストＥＣＵ５６を設けたため、第３列シート１２を格納状態にしたときに、アームレスト部材２０の位置を自動的に格納位置に切り替えることができる。これにより、第３列シート１２が格納されて拡大された荷室にアーム載せ面２５が露出する（アームレストＡが形成される）ことがなく、アーム載せ面の汚れが防止される。特に、アームレスト装置１０では、上記の通り第３列シート１２が格納状態から使用状態に移行した際に、アームレスト部材２０が自動的に使用位置に切り替えられるため、便利である。
【００５６】
また、アームレスト装置１０では、デッキサイドトリム１４内に位置するアームレスト部材２０は、アームレスト部２２の縁部２２Ａを開口部１８の下縁１８Ａに沿わせて使用位置を取り、該アームレスト部２２の縁部２２Ａを開口部１８の上縁１８Ｂに沿わせて格納位置を取る構成であるため、車体側のデッキサイドトリム１４内に第３列シートの上記状態移行の軌跡に干渉することなく、アームレスト部材２０（アームレスト部２２）が使用位置と格納位置とを取り得る構成が実現されている。特に、回動軸２６廻りの回動によってアームレスト部材２０が使用位置と格納位置とを切り替える構成であるため、該使用位置と格納位置と（の切替途中を含む）でアームレスト部材２０がデッキサイドトリム１４内で占める空間が殆ど変化しない。換言すれば、アームレスト部材２０は、デッキサイドトリム内の他の部品等にも干渉することなく、使用位置と格納位置とを取り得る構成が実現されている。
【００５７】
さらに、アームレスト部材２０は、アームレスト部２２が使用位置に位置するときに上縁３０Ａを開口部１８の上縁１８Ｂに沿わせる使用時隔壁３０と、アームレスト部２２が使用位置に位置するときに使用時隔壁３０の後方で上端を上縁１８Ｂに突き当て可能なスライドシャッタ３２とを備えるため、使用位置に位置して開口部１８を内側から閉止することができる。また、アームレスト部材２０は、アームレスト部２２が格納位置に位置するときに縁部２８Ａを開口部１８の下縁１８Ａに沿わせる格納時床板部２８を備えるため、格納位置に位置して開口部１８を内側から閉止することができる。すなわち、開口部１８から露出しつつデッキサイドトリム１４内で回動するアームレスト部２２を設けた構成において、開口部１８におけるアームレスト部２２が閉塞する部分以外の部分をも確実に閉止することができる。特に、アームレスト部材２０が格納位置に位置するとき、すなわち第３列シート１２の格納状態では、乗員の腕がアームレストＡにアクセスするための開口部１８がシャッタ部材４２にて外側から閉止される（開口部１８の存在が隠される）ため、上記の通り拡大された荷室の見栄えが向上する。さらに、このシャッタ部材４２にて開閉される収納空間Ｒが形成されるため、便利である。
【００５８】
このように、本実施形態に係るアームレスト装置１０では、車体側に設けたアームレスト部材２０の状態を、該アームレスト部材２０に対応する第３列シート１２の状態に応じて変化させることができる。なお、この実施形態では、アームレスト部材２０は、第３列シート１２の使用状態と格納状態との間の移行軌跡の外側に配置されており、第３列シート１２を格納する格納状態に移行するためにアームレスト部材２０を格納位置に移動する構成ではなく、上記の通り車体側に設けたアームレスト部２２の汚れ防止、見栄え向上、利便性向上等のために、第３列シート１２の格納状態に移行時にアームレスト部材２０を格納位置に切り替えるようにしている。
【００５９】
次に、本発明の第２の実施形態を説明する。なお、上記第１の実施形態と基本的に同一の部品・部分については上記第１の実施形態と同一の符号を付してその説明を省略する。
【００６０】
図９には、第２の実施形態に係るアームレスト装置６０が斜視図にて示されている。この図に示される如く、アームレスト装置６０は、自動車の左右のデッキサイドトリム１４にそれぞれアームレスト部材２０が対称に設けられて構成されており、一方のアームレスト部材２０の収納空間Ｒ内には固縛ネット（カーゴネット）６２が収納されている。固縛ネット６２は、左右に長いネット状部材であり、その長手方向一端が格納時床板部２８に固定されており、通常は、例えば折り畳み状態や巻き取り状態で収納空間Ｒに収納される構成である。
【００６１】
他方のアームレスト部材２０の格納時床板部２８における収納空間Ｒ側には、固縛ネット６２の長手方向他端に設けられたフック部６４を係止（引掛け）可能なフック係止部６６が設けられている。そして、上記一方のアームレスト部材２０の収納空間Ｒから引き出した固縛ネット６２のフック部６４を、他方のアームレスト部材２０のフック係止部６６に係止することで、左右に展開された固縛ネット６２の左右両端が拘束される構成である。この状態で固縛ネット６２は、荷室（前倒しされたシートバック１２Ａ上）に載置された荷物を覆って保持する（固縛する）ことができる。
【００６２】
アームレスト装置６０の他の構成は、アームレスト装置１０の対応する構成と同様である。したがって、第２の実施形態に係るアームレスト装置６０においても、第１の実施形態に係るアームレスト装置１０と同様の効果を得ることができる。以上の説明では固縛ネット６２を設けた例を示したが、例えば、固縛ネット６２に代えて、左右の格納時床板部２８間に布材をハンモック状に掛け渡すことで、荷室の床上にさらにハンモック上の荷物置き場を形成するようにしても良い。
【００６３】
なお、上記各実施形態では、第３列シート１２の状態に応じて自動的にアームレスト部材２０の使用位置と格納位置とを切り替える例を示したが、本発明はこれに限定されず、例えば、乗員が手元スイッチを操作することでモータ５２を作動してアームレスト部材２０の使用位置と格納位置とを切り替える構成としても良く、手動操作にてアームレスト部材２０の使用位置と格納位置とを切り替える構成としても良い。
【００６４】
また、本発明のアームレスト部材は、上記各実施形態のアームレスト部材２０には限定されず、例えば、スライドシャッタ３２に代えて、使用時隔壁３０を後端（円板部４０）まで延設したり、シャッタ部材４２に代えて、該シャッタ部材４２と同様の形状を有しアームレスト部２２に固定された格納時蓋部材を設けたりしても良い。
【００６５】
さらに、上記各実施形態では、アームレスト部材２０がデッキサイドトリム１４内に配設された例を示したが、本発明はこれに限定されず、例えば、スライドドアのドアトリム内にアームレスト部材２０を配設しても良い。この構成でも、アームレスト部材２０の位置がスライドドアの開閉動作に伴って他の部分に干渉することがない。また、本発明に係るアームレスト装置は第３列シート１２に適用されることには限られず、例えば、第２列シート等に適用しても良い。
【００６６】
また、第３列シート１２は、シートバック１２Ａが分割可倒式に構成されても良い。この場合、左右のアームレスト部材２０は、それぞれ対応するシート格納センサ５８の出力信号に基づいて制御される（アームレストＥＣＵ５６は共通でも可）ことが望ましい。
【図面の簡単な説明】
【００６７】
【図１】本発明の第１の実施形態に係るアームレスト装置の概略全体構成を示す斜視図である。
【図２】本発明の第１の実施形態に係るアームレスト装置の使用状態の断面図である。
【図３】本発明の第１の実施形態に係るアームレスト装置の格納状態の断面図である。
【図４】本発明の第１の実施形態に係るアームレスト装置を構成するアームレスト部材を示す斜視図である。
【図５】本発明の第１の実施形態に係るアームレスト装置の使用状態の斜視図である。
【図６】本発明の第１の実施形態に係るアームレスト装置の使用状態における収納ポケットを示す斜視図である。
【図７】本発明の第１の実施形態に係るアームレスト装置の格納位置と使用位置との切り替え過程を示す斜視図である。
【図８】本発明の第１の実施形態に係るアームレスト装置の格納状態における収納空間を示す斜視図である。
【図９】本発明の第２の実施形態に係るアームレスト装置の概略全体構成を示す斜視図である。
【符号の説明】
【００６８】
１０    アームレスト装置
１２    第３列シート（シート）
１４    デッキサイドトリム（車体側壁）
１６    壁部
１８    開口部
１８Ａ  下縁
１８Ｂ  上縁
２０    アームレスト部材
２２    アームレスト部（アームレスト部材）
２５    アーム載せ面
２６    回動軸
２８    格納時床板部（他の閉止部材）
３０    使用時隔壁（閉止部材）
３２    スライドシャッタ（閉止部材）
５０    アームレスト切替装置（アームレスト位置切替手段）
５２    モータ（アームレスト位置切替手段、駆動装置）
５６    ＥＣＵアームレスト（アームレスト位置切替手段）
５８    シート格納センサ（シート状態検出手段）
【図１】
2006151196.tif 000003
【図２】
2006151196.tif 000004
【図３】
2006151196.tif 000005
【図４】
2006151196.tif 000006
【図５】
2006151196.tif 000007
【図６】
2006151196.tif 000008
【図７】
2006151196.tif 000009
【図８】
2006151196.tif 000010
【図９】
2006151196.tif 000011